(57)【要約】【課題】所望の画面に表示を切り替えるような利用態様に、より好適なユーザインタフェイスを実現し得る表示処理装置を提供すること。【解決手段】感圧センサ３ｃとタッチセンサ３ｂを有する表示ユニット３に表示させる画面を制御する表示処理装置１であって、タッチ操作Ｍの位置及び押圧を含む入力情報を取得する入力情報取得部１ｂと、第１の画面Ｔ１を前記表示ユニット３に表示させているときに閾値以上の押圧のタッチ操作Ｍがなされた場合、当該タッチ操作Ｍがなされた位置に基づいて、切り替え先の第２の画面Ｔ２を選択し、前記第２の画面Ｔ２を、前記第２の画面Ｔ２に対応付けられた方向に応じた側から出現させるとともに、前記第１の画面Ｔ１を、前記第２の画面Ｔ２を出現させる側とは反対の側に向かうように消失させて、前記第１の画面Ｔ１から前記第２の画面Ｔ２に表示を切り替える表示制御部１ａと、を備える。【選択図】図７
2017182259.tif 000002
【特許請求の範囲】
【請求項１】
感圧センサとタッチセンサを有する表示ユニットに表示させる画面を制御する表示処理装置であって、
前記表示ユニットに対してなされたタッチ操作の位置及び押圧を含む入力情報を取得する入力情報取得部と、
第１の画面を前記表示ユニットに表示させているときに閾値以上の押圧のタッチ操作がなされた場合、
当該タッチ操作がなされた位置に基づいて、少なくとも前記表示ユニットの表示領域の中心に対する四方向のいずれかの方向と対応付けられた複数の画面のうち、いずれかの画面を切り替え先の第２の画面として選択し、
前記第２の画面を、前記第２の画面に対応付けられた方向に応じた側から前記表示ユニットの表示領域に出現させるとともに、前記第１の画面を、前記第２の画面を出現させる側とは反対の側に向かうように前記表示ユニットの表示領域から消失させて、前記第１の画面から前記第２の画面に表示を切り替える表示制御部と、
を備える表示処理装置。
【請求項２】
前記表示制御部は、前記閾値以上の押圧のタッチ操作がなされた場合、
当該タッチ操作がなされた位置が前記表示ユニットの表示領域の外縁部のときに、前記第１の画面から前記第２の画面に表示を切り替える処理を行う
ことを特徴とする請求項１に記載の表示処理装置。
【請求項３】
前記表示制御部は、前記第１の画面から前記第２の画面に表示を切り替える際、
前記第１の画面と前記第２の画面とが隣接する面として配置された多面体を回転させるようにして、前記第２の画面を、前記第２の画面に対応付けられた方向に応じた側から前記表示ユニットの表示領域に出現させるとともに、前記第１の画面を、前記第２の画面を出現させる側とは反対の側に向かうように前記表示ユニットの表示領域から消失させる
ことを特徴とする請求項１に記載の表示処理装置。
【請求項４】
複数の画面それぞれについて記憶された使用頻度データに基づいて、少なくとも前記表示ユニットの表示領域の中心に対する四方向のいずれかの方向と対応付ける画面を変更する設定部を備える
ことを特徴とする請求項１に記載の表示処理装置。
【請求項５】
複数の画面それぞれを多面体の各面の位置関係と関連付ける設定データに基づいて、前記第１の画面が切り替えられる毎に、当該切り替えられた画面に関連付けられた前記多面体の面の位置関係と対応するように、少なくとも前記表示ユニットの表示領域の中心に対する四方向のいずれかの方向と対応付ける画面を変更する第２の設定部を備える
ことを特徴とする請求項３に記載の表示処理装置。
【請求項６】
前記表示制御部は、少なくとも前記表示ユニットの表示領域の中心に対する四方向のいずれかの方向と対応付けられた複数の画面のそれぞれについて、当該方向と当該画面の種別の対応関係を識別可能に表示する
ことを特徴とする請求項１に記載の表示処理装置。
【請求項７】
前記表示制御部は、前記第１の画面から前記第２の画面に表示を切り替える際、タッチ操作の押圧に応じて、前記第１の画面を消失させる速度、及び前記第２の画面を出現させる速度を変化させる
ことを特徴とする請求項１に記載の表示処理装置。
【請求項８】
コンピュータに、
感圧センサとタッチセンサを有する表示ユニットに表示させる画面を制御する表示処理プログラムであって、
前記表示ユニットに対してなされたタッチ操作の位置及び押圧を含む入力情報を取得する処理と、
第１の画面を前記表示ユニットに表示させているときに閾値以上の押圧のタッチ操作がなされた場合、
当該タッチ操作がなされた位置に基づいて、少なくとも前記表示ユニットの表示領域の中心に対する四方向のいずれかの方向と対応付けられた複数の画面のうち、いずれかの画面を切り替え先の第２の画面として選択し、
前記第２の画面を、前記第２の画面に対応付けられた方向に応じた側から前記表示ユニットの表示領域に出現させるとともに、前記第１の画面を、前記第２の画面を出現させる側とは反対の側に向かうように前記表示ユニットの表示領域から消失させて、前記第１の画面から前記第２の画面に表示を切り替える処理と、を実行させる、
表示処理プログラム。
【発明の詳細な説明】
【技術分野】
【０００１】
本発明は、表示処理装置、及び表示処理プログラムに関する。
【背景技術】
【０００２】
車載ナビゲーション装置においては、一般に、ナビゲーション画面からその他のアプリケーション画面へ画面の切り替えを行う際には、メニューキー等を選択する操作を行った後に、表示されるメニュー一覧から切り替えたい機能のアイコンを選択するという操作が必要である。そのため、ユーザにとっては、他のアプリケーション画面へ画面の切り替えを行うためには少なくとも複数回の操作が必要であり、加えて、表示される画面の中から順次アイコンを選択するという操作が必要となる。
【０００３】
このような背景から、アプリケーション画面を切り替えるための種々のユーザインタフェイスが検討されている。例えば、特許文献１には、表示領域内に、全画面で表示するアプリケーションの表示領域と子画面で表示するアプリケーションの表示領域とを設けるとともに、これらのアプリケーションを切り替えるための操作用のタブ群を表示することが記載されている。
【先行技術文献】
【特許文献】
【０００４】
【特許文献１】特開２０１０−１３４５９６号公報
【発明の概要】
【発明が解決しようとする課題】
【０００５】
特許文献１の従来技術によれば、一回の操作でナビゲーション画面からその他のアプリケーション画面に切り替えることが可能となる。しかしながら、特許文献１の従来技術では、表示ユニットをユーザインタフェイスとして用いているにもかかわらず、ユーザがアプリケーションを選択するためのタブが小さく、加えて複数の中から選択する必要がある。そのため、特許文献１の従来技術では、所望のアプリケーションを素早く選択することが困難であるという問題がある。
【０００６】
特に、車載ナビゲーション装置の場合、ユーザは、運転中の信号待ちの短い時間にアプリケーション画面を切り替える操作を行ったりする。そのため、特許文献１の従来技術のような意識を当該操作に集中させるようなユーザインタフェイスにすると、事故を誘発してしまうおそれがある。
【０００７】
そこで、本発明は、現在表示する画面から所望の画面に表示を切り替えるような利用態様に、より好適なユーザインタフェイスを実現し得る表示処理装置及び表示処理プログラムを提供することを目的とする。
【課題を解決するための手段】
【０００８】
前述した課題を解決する主たる本発明は、感圧センサとタッチセンサを有する表示ユニットに表示させる画面を制御する表示処理装置であって、前記表示ユニットに対してなされたタッチ操作の位置及び押圧を含む入力情報を取得する入力情報取得部と、第１の画面を前記表示ユニットに表示させているときに閾値以上の押圧のタッチ操作がなされた場合、当該タッチ操作がなされた位置に基づいて、少なくとも前記表示ユニットの表示領域の中心に対する四方向のいずれかの方向と対応付けられた複数の画面のうち、いずれかの画面を切り替え先の第２の画面として選択し、前記第２の画面を、前記第２の画面に対応付けられた方向に応じた側から前記表示ユニットの表示領域に出現させるとともに、前記第１の画面を、前記第２の画面を出現させる側とは反対の側に向かうように前記表示ユニットの表示領域から消失させて、前記第１の画面から前記第２の画面に表示を切り替える表示制御部と、を備える表示処理装置である。
【発明の効果】
【０００９】
本発明に係る表示処理装置によれば、ユーザは、視線をあまり移動させることなく、少ない操作で、現在表示する画面から所望の画面に表示を切り替えることができる。
【図面の簡単な説明】
【００１０】
【図１】第１の実施形態に係るナビゲーション装置の外観の一例を示す図
【図２】第１の実施形態に係るナビゲーション装置のハードウェア構成の一例を示す図
【図３】第１の実施形態に係る制御装置の機能ブロックの一例を示す図
【図４】第１の実施形態に係る表示ユニットの部品構成を示す展開図
【図５】第１の実施形態に係る表示ユニットの部品構成を示す断面図
【図６】第１の実施形態に係るナビゲーション装置の動作フローの一例を示す図
【図７】第１の実施形態に係るナビゲーション装置の表示画面の画面遷移の一例を示す図
【図８】第１の実施形態に係る画面切替操作と切替先画面の対応関係の一例を示す図
【図９】第２の実施形態に係る識別マークの態様の一例を示す図
【図１０】第３の実施形態に係る画面切替操作と切替先画面の対応関係の一例を示す図
【図１１】第４の実施形態に係る複数の画面それぞれを多面体の各面の位置関係と関連付ける設定データについて説明するための図
【発明を実施するための形態】
【００１１】
（第１の実施形態）
以下、図１〜図５を参照して、本実施形態に係る表示処理装置の構成の一例について説明する。本実施形態に係る表示処理装置は、地図のナビゲーション画面等を表示する車載ナビゲーション装置に用いられる。
【００１２】
図１は、本実施形態に係るナビゲーション装置Ａの外観の一例を示す図である。図２は、本実施形態に係るナビゲーション装置Ａのハードウェア構成の一例を示す図である。図３は、本実施形態に係る制御装置１の機能ブロックの一例を示す図である。図４は、本実施形態に係る表示ユニット３の部品構成を示す展開図である。図５は、本実施形態に係る表示ユニット３の部品構成を示す断面図である。
【００１３】
ナビゲーション装置Ａは、制御装置１、記憶装置２、表示ユニット３を備え、主に、これらの装置によって、ナビゲーション画面等の画像データが生成されたり、当該ナビゲーション画面が表示出力されたりする。
【００１４】
制御装置１（表示処理装置）は、例えば、ＣＰＵ（Central Processing Unit）を含んで構成される。そして、制御装置１は、ＣＰＵがコンピュータプログラムを実行することによって、ナビゲーション装置Ａの各部とデータ通信して、これらの動作を統括制御する。
【００１５】
制御装置１は、表示制御部１ａ、入力情報取得部１ｂの機能を有する。表示制御部１ａ、入力情報取得部１ｂは、例えば、ＣＰＵがアプリケーションプログラムを実行することによって実現される（図３を参照。これらの機能を用いた動作の詳細は、図６を参照して後述）。
【００１６】
表示制御部１ａは、記憶装置２に格納された画像データを用いて、表示ユニット３（表示装置３ａ）に表示させる画面の画像データを生成し、ユーザのタッチ操作等に応じて、表示させる画像を制御する。尚、表示制御部１ａは、入力情報取得部１ｂが取得したタッチ操作の位置及び押圧を含む入力情報に基づいて、かかる制御を行う。
【００１７】
入力情報取得部１ｂは、表示ユニット３に対してなされたタッチ操作の位置及び押圧を含む入力情報を取得する。タッチ操作されたときの位置を示す信号は、例えば、表示ユニット３（タッチセンサ３ｂ）から制御装置１が有するレジスタに出力される。そして、入力情報取得部１ｂは、当該レジスタに格納された信号に基づいて、タッチ操作された位置に係る入力情報を取得する。又、タッチ操作されたときの押圧を示す信号は、例えば、表示ユニット３（感圧センサ３ｃ）から電圧値として出力される。入力情報取得部１ｂは、当該電圧値に基づいて、タッチ操作における押圧に係る入力情報を取得する。
【００１８】
尚、アプリケーションプログラムが、システムプログラム上で動作する場合、入力情報取得部１ｂは、タッチ操作の位置や押圧に係る入力情報をシステムプログラムから取得する構成としてもよい。例えば、入力情報取得部１ｂは、システムプログラムがタッチセンサ３ｂや感圧センサ３ｃからタッチ操作の位置や押圧を示す信号を取得するに応じて、イベントドリブン方式で、当該システムプログラムから当該データを取得する構成としてもよい。
【００１９】
ここでは、タッチ操作の位置及び押圧に係る入力情報は、それぞれ後述するタッチセンサ３ｂと感圧センサ３ｃとから出力される信号に基づいて特定される。しかし、タッチ操作の位置及び押圧を特定できれば、他の方法を用いてもよいは勿論である。入力情報取得部１ｂは、例えば、後述する複数の感圧センサ３ｃ（図４）から取得した押圧のバランス等に基づいて、タッチ操作の位置を特定してもよい。
【００２０】
尚、表示制御部１ａ及び入力情報取得部１ｂの機能は、ＡＰＩ(Application Programming Interface)等を用いて、複数のコンピュータプログラムが協働する構成としてもよい。又、表示制御部１ａは、ＧＰＵ（Graphics Processing Unit）等を用いて、画像データに対する処理の一部又は全部を当該ＧＰＵに実行させる構成であってもよい。
【００２１】
記憶装置２は、例えば、ＲＯＭ、ＲＡＭ、ＨＤＤ等を含んで構成され、システムプログラム、当該システムプログラム上で実行可能なアプリケーションプログラム等の各種処理プログラムや、各種データを記憶し、又、演算処理において一時的に記憶するためのワークエリアを形成する。又、記憶装置２は、その他、表示ユニット３に表示出力させるための画像データ等も記憶する。尚、記憶装置２は、ＨＤＤの他、例えば、フラッシュメモリーなどを用いた補助記憶装置に読み書き更新可能に記憶させることとしてもよい。又、これらのデータは、車輌の位置やタッチ操作による要求に応じて、逐次、インターネット回線を通じてダウンロードされ、記憶装置２に格納されるものとしてもよい。
【００２２】
又、記憶装置２は、アプリケーションを動作させるための表示画面（図８を参照して後述）の画像データを複数有する。記憶装置２は、例えば、地図画像を表示するナビゲーション画面や、ＦＭラジオを視聴するためのＦＭ画面等の画像データを有する。尚、これらの画像データには、画面内に表示するアイコン等に関するデータも付帯されており、ユーザが、当該画面内で選択操作した位置に応じて対応する処理を実行することが可能となっている。又、記憶装置２には、その他、画面切替操作と切替先画面の対応関係を示す設定データ（図８を参照して後述）や、ナビゲーション画面に表示する地図座標と対応付けられた地図画像の画像データが記憶されている。
【００２３】
表示ユニット３は、表示装置３ａ、タッチセンサ３ｂ、感圧センサ３ｃを含んで構成される（図４、図５を参照）。
【００２４】
表示装置３ａは、例えば、液晶ディスプレイによって構成され、当該液晶ディスプレイの表示領域にナビゲーション画面等を表示する。表示装置３ａには、制御装置１からナビゲーション画面等を表示するための画像データが入力されており、表示装置３ａは、当該画像データに基づいて、ナビゲーション画面等を表示する。
【００２５】
タッチセンサ３ｂは、ナビゲーション装置Ａに対するユーザの入力装置であって、表示装置３ａの表示領域上でタッチ操作された位置を検出する。タッチセンサ３ｂは、例えば、投影型静電容量方式のタッチセンサが用いられ、マトリクス状に配設されたＸ電極とＹ電極によって、表示装置３ａの表示領域上にマトリクス状に複数の静電容量センサが構成される。そして、タッチセンサ３ｂは、当該静電容量センサによって、指が近づいたときに、これらの電極と指との間で発生する容量結合による静電容量の変化を検出し、これに基づいて、タッチ操作がなされた位置を検出する。そして、当該検出信号は、タッチ操作がなされた位置を示す信号として、制御装置１に出力される。尚、タッチセンサ３ｂが検出する位置は、表示装置３ａの表示領域の各位置と一致するように補正処理がなされてもよい。
【００２６】
感圧センサ３ｃは、ナビゲーション装置Ａに対するユーザの入力装置であって、表示装置３ａの表示領域上でのタッチ操作における押圧を検出する。感圧センサ３ｃは、例えば、接触の圧力によって抵抗値が変わるセンサが用いられ、当該抵抗値の変化を電圧値に変換してタッチ操作における押圧を検出する。感圧センサ３ｃは、表示装置３ａの表示領域の外周の四辺に対応する位置に、四カ所に配設されている。感圧センサ３ｃが検出したタッチ操作における押圧を示す信号は、制御装置１に出力される。
【００２７】
尚、表示ユニット３は、上記した表示装置３ａ、タッチセンサ３ｂ、感圧センサ３ｃに加えて、筐体３ｄ、カバーレンズ３ｅ、両面テープ３ｆを備えている。
【００２８】
具体的には、表示ユニット３は、表示領域が露出するように表示装置３ａが筐体３ｄの中に収納され、当該表示装置３ａの表示領域を覆うように、板状のタッチセンサ３ｂ及びカバーレンズ３ｅがこの順で配設されて構成される。そして、板状のタッチセンサ３ｂは、当該表示装置３ａの表示領域の外縁部の外側において、両面テープ３ｆを用いて筐体３ｄに対して固定されている。又、感圧センサ３ｃは、当該表示装置３ａの表示領域の外周において、当該板状のタッチセンサ３ｂと筐体３ｄの間に設置されている。尚、ユーザが表示ユニット３に対してタッチ操作する際には、カバーレンズ３ｅの表面に対してタッチ操作を行うことになる。
【００２９】
ナビゲーション装置Ａは、その他、ＧＰＳ４、ジャイロセンサ５、車速センサ６、ＴＶ受信機７、ラジオ受信機８、ＣＤ／ＤＶＤ再生装置９、デジタルオーディオプレイヤを接続する接続ポート１０等を備え、制御装置１は、これらの装置ともデータ通信可能な構成となっている。尚、これらの装置は、いずれも公知なものであるから、ここでの詳細な説明は省略する。
【００３０】
＜ナビゲーション装置Ａの動作＞
次に、図６〜図８を参照して、本実施形態に係るナビゲーション装置Ａの動作の一例を説明する。
【００３１】
図６は、本実施形態に係るナビゲーション装置Ａの動作フローの一例を示す図である。この動作フローは、制御装置１が行う動作であって、例えば、制御装置１がアプリケーションプログラムに従って処理を実行することで実現される。以下では、特に、表示制御部１ａが行う画面の切替処理について説明する。尚、「画面」とは、表示ユニット３の表示領域の大部分を占めるように表示される画像を意味する。表示制御部１ａは、複数の画面のいずれか一つの画面を表示ユニット３の表示領域に表示するように切り替える制御を行う。以下、現在表示する画面から他の画面に切り替える際における、表示の時間的変化を「画面遷移」とも称する。又、ユーザが現在表示する画面から他の画面に切り替えるために行うタッチ操作を「画面切替操作」とも称し、現在表示する画面（第１の画面）から他の画面に切り替える際の切り替え先の画面を「切替先画面」（第２の画面）と略称する。
【００３２】
図７は、ナビゲーション装置Ａの表示画面の画面遷移の一例を示す図である。図７Ａ〜図７Ｃに示す表示画面は、例えば、アプリケーション毎に設定された画面の画像データに基づいて、表示制御部１ａによって生成され、図６に示す表示制御部１ａの動作に応じて順次更新される。
【００３３】
図７Ａはナビゲーション画面Ｔ１（第１の画面）、図７ＣはＦＭラジオを視聴するための画面Ｔ２（第２の画面）、図７Ｂはナビゲーション画面Ｔ１からＦＭラジオを視聴するための画面Ｔ２への画面遷移の一例を表している。尚、図７Ａ〜図７Ｃに示す画像の外枠は、それぞれ表示ユニット３の表示領域の外枠を表し、図中のＭは、表示領域に対するタッチ操作を示す。
【００３４】
図８は、画面切替操作がなされた場合に、切替先画面の設定の一例を示す図である。図８では、ナビゲーション画面Ｔ１が表示されている状態において、表示ユニット３の表示領域の右端部分を押圧するタッチ操作がなされた場合には、ラジオ受信機８を用いてＦＭラジオを視聴するためのＦＭ画面Ｔ２に切り替える設定がされていることを表している。又、同様に、表示ユニット３の表示領域の上端部分を押圧するタッチ操作がなされた場合には、ＣＤ／ＤＶＤ再生装置９を用いてＣＤを視聴するためのＤＩＳＣ画面Ｔ３に切り替え、表示ユニット３の表示領域の左端部分を押圧するタッチ操作がなされた場合には、デジタルオーディオプレイヤを実行するオーディオ画面Ｔ４に切り替え、表示ユニット３の表示領域の下端部分を押圧するタッチ操作がなされた場合には、ＴＶ受信機７を用いてＴＶを視聴するためのＴＶ画面Ｔ５に切り替えることを表している。
【００３５】
つまり、画面Ｔ２〜Ｔ５は、それぞれ、表示ユニット３の表示領域の中心からの四方向のいずれかの方向と対応付けられている。尚、当該画面切替操作と切替先画面の対応関係は、設定データとして予め記憶され、アプリケーションプログラムに読みだされる。
【００３６】
図６に示す動作フローにおいて、アプリケーションプログラムが実行されると、表示制御部１ａは、まず、ナビゲーション画面（図７Ａ）を表示する。尚、この際、表示制御部１ａは、ＧＰＳによって取得された車輌の位置データの読み出しを行い、当該車輌の位置データに対応する地図座標から、当該車輌の位置が表示画面の中心付近に位置するように、地図画像を生成して、ナビゲーション画面を表示する。
【００３７】
そして、表示制御部１ａは、この状態で、ユーザが表示ユニット３に対してタッチ操作Ｍを行うことを待ち受ける（ステップＳ１：ＮＯ）。尚、ユーザのタッチ操作は、例えば、入力情報取得部１ｂが制御装置１に入力されるタッチセンサ３ｂからの信号を監視することによって判定される。
【００３８】
表示ユニット３に対してタッチ操作Ｍがなされた場合（ステップＳ１：ＹＥＳ）、まず、入力情報取得部１ｂが、タッチセンサ３ｂからの信号に基づいて、表示ユニット３の表示領域における当該タッチ操作Ｍのタッチ位置を特定する（ステップＳ２）。次に、入力情報取得部１ｂは、感圧センサ３ｃからの信号を取得して、当該タッチ操作Ｍの押圧を特定する（ステップＳ３）。
【００３９】
表示制御部１ａは、入力情報取得部１ｂが取得した押圧が閾値以上かを判定する（ステップＳ４）。そして、表示制御部１ａは、押圧が閾値未満と判定した場合（ステップＳ４：ＮＯ）、通常のタッチ操作として、続くステップＳ７、Ｓ８を実行する。一方、押圧が閾値以上と判定した場合（ステップＳ４：ＹＥＳ）、表示制御部１ａは、通常のタッチ操作ではないとして、続くステップＳ５、Ｓ６を実行する。
【００４０】
ステップＳ４において、タッチ操作Ｍの押圧が閾値未満と判定した場合（ステップＳ４：ＮＯ）、表示制御部１ａは、通常のタッチ操作として処理を実行するため、タッチ操作Ｍのタッチ位置に対応する処理が存在するかを判定する（ステップＳ７）。そして、当該処理が存在する場合（ステップＳ７：ＹＥＳ）、当該処理（例えば、地図画像を移動させる処理）を実行し（ステップＳ８）、再度、ステップＳ１の待ち受け状態に戻り、タッチ操作Ｍのタッチ位置に対応する処理が存在しない場合（ステップＳ７：ＮＯ）、何ら処理を実行することなく、再度、ステップＳ１の待ち受け状態に戻る。
【００４１】
一方、ステップＳ４において、タッチ操作Ｍの押圧が閾値以上と判定した場合（ステップＳ４：ＹＥＳ）、画面切替操作であることを確認するため、表示制御部１ａは、タッチ位置が画面端であるかを判定する（ステップＳ５）。尚、ここでの画面端とは、例えば、表示ユニット３の表示領域の外縁部を意味する。タッチ位置が画面端であるか否かは、ステップＳ２で特定されたタッチ位置に基づいて、判定される。
【００４２】
ステップＳ５において、タッチ位置が画面端でないと判定した場合（ステップＳ５：ＮＯ）、表示制御部１ａは、画面切替操作ではないと識別して、ステップＳ７を実行する。一方、タッチ位置が画面端であると判定した場合（ステップＳ５：ＹＥＳ）、表示制御部１ａは、続くステップＳ６を実行する。
【００４３】
ステップＳ６において、表示制御部１ａは、表示画面を切り替える処理を行う（ステップＳ６）。ここで、表示制御部１ａは、図８の設定データに基づいて、切り替え先の表示画面を選択する。例えば、表示制御部１ａは、ユーザが表示ユニット３の表示領域の右端部分をタッチ操作Ｍした場合、ＦＭラジオを視聴するための画面Ｔ２を切り替え先の画面として選択する。そして、表示制御部１ａは、図７Ｂに示すような表示制御を行って、図７Ａのナビゲーション画面Ｔ１から図７ＣのＦＭ画面Ｔ２に表示を切り替える。そして、表示制御部１ａは、再度、ステップＳ１の待ち受け状態に戻る。以上のような動作を繰り返し、表示制御部１ａは、表示ユニット３の表示制御を行う。
【００４４】
ここで、表示制御部１ａが行うステップＳ６の画面遷移について説明する。
【００４５】
図７Ｂは、上記したとおり、画面遷移の一例として、タッチ操作Ｍされた表示ユニット３の表示領域の右端側（表示領域の中心に対して右方向）に対応付けられたＦＭ画面Ｔ２に画面遷移する際の態様を示している。
【００４６】
表示制御部１ａは、この際、タッチ位置である表示ユニット３の表示領域の右側に向かって、ナビゲーション画面Ｔ１の画像を移動させて表示ユニット３の表示領域外に消失させる。そして、表示制御部１ａは、当該ナビゲーション画面Ｔ１の画像の移動に追従するように、表示ユニット３の表示領域の左側から、ＦＭ画面Ｔ２の画像を移動させて出現させる表示制御を行う。つまり、表示制御部１ａは、選択された画面を、当該画面に対応付けられた方向に応じた側から表示ユニット３の表示領域に出現させるとともに、現在表示する画面を、当該選択された画面を出現させる側とは反対の側に向かうように表示ユニット３の表示領域から消失させる。
【００４７】
尚、「画面に対応付けられた方向に応じた側」とは、画面切替操作をした位置（表示領域の中心に対する方向）を識別させる側を意味し、当該画面切替操作をした表示領域の中心に対する方向と同一の方向である必要はなく、例えば、図７Ｂのように画面切替操作をした側と反対側から対応する画面を出現させるものであってもよい。又、かかる画面の出現又は消失は、表示ユニット３の表示領域の端部からでなくてよい。尚、「出現」とは、切替先画面が表示ユニット３の表示領域に表示されていない状態から、表示ユニット３の表示領域に表示される状態になることを意味する。同様に、「消失」とは、現在表示する画面が表示ユニット３の表示領域に表示されない状態になることを意味する。
【００４８】
より詳細には、表示制御部１ａは、ナビゲーション画面Ｔ１とＦＭ画面Ｔ２とを隣接する面に有する六面体が、タッチ操作Ｍで押し込まれた側に回転するようにして、表示ユニット３の表示領域の右側に向かってナビゲーション画面Ｔ１の画像を移動させて消失させ、表示ユニット３の表示領域の左側からＦＭ画面Ｔ２の画像を移動させて出現させる。
【００４９】
この多面体の回転を模した表示制御は、ナビゲーション画面Ｔ１の画像とＦＭ画面Ｔ２の画像とを隣接して配置した状態で、それぞれの画像を経時的に変形及び移動していくことによって行うことができる。尚、多面体の回転のような立体感は、例えば、アフィン変換を用いて、奥行き方向にある領域ほど画面の画像密度を高めることによって表現することができる。
【００５０】
例えば、表示制御部１ａは、右方向に向かうにつれて、ナビゲーション画面Ｔ１の上下方向及び左右方向の圧縮度を大きくすることによって、ナビゲーション画面Ｔ１が表示ユニット３の表示領域の右端側の奥行き方向に傾いたような三次元的な表示を行うことができる。そして、表示制御部１ａは、経時的に、当該ナビゲーション画面Ｔ１の上下方向及び左右方向の圧縮度を大きくするとともに、当該ナビゲーション画面Ｔ１を表示ユニット３の表示領域の右端側に移動させることによって、正面を向いていた六面体の一面が徐々に側面に移動するような表示を行うことができる。又、表示制御部１ａは、ＦＭ画面Ｔ２の画像についても同様の処理を行う。
【００５１】
このようにして、表示制御部１ａは、六面体を右側に回転させ、一面に配置されたナビゲーション画面Ｔ１を経時的に消失させ、隣接する面に配置されたＦＭ画面Ｔ２を経時的に出現させる三次元的な表示制御を行うことができる。
【００５２】
以上、本実施形態に係るナビゲーション装置Ａによれば、ユーザは、表示ユニット３の表示領域における四方向の端部のいずれかの方向の端部を押し込むタッチ操作Ｍによって、所望の画面に切り替えることができる。そのため、ユーザは、表示ユニット３の表示領域における四方向の端部のいずれの方向かのみを意識すればよいので、視線をあまり移動させることなく、一回のタッチ操作で簡易に所望の画面に切り替えることができる。従って、本実施形態に係るナビゲーション装置Ａは、複数の画面から所望の画面を選択させて切り替えるような利用態様に好適なユーザインタフェイスを実現することができる。
【００５３】
又、本実施形態に係るナビゲーション装置Ａは、現在表示する画面Ｔ１から、ユーザによって選択された画面Ｔ２に切り替える際、多面体を回転させるように、当該選択された画面Ｔ２を、対応付けられた方向に応じた側から表示ユニット３の表示領域に出現させるとともに、現在表示する画面Ｔ１を、当該選択された画面Ｔ２の出現する側とは反対の側に消失させる表示制御を行う。これによって、ユーザは、押圧するタッチ操作Ｍにより当該多面体を回転させるような感覚で、表示画面を切り替えることができる。そのため、ユーザは、画面切替操作と切替先画面の対応関係を直感的に識別することができ、感覚的に記憶することが可能となる。又、かかる画面切替操作は、ユーザにとって直感的な操作となるため、趣向性の向上にも資することとなる。
【００５４】
又、本実施形態に係るナビゲーション装置Ａによれば、表示制御部１ａは、現在表示する画面から所望の画面に切り替える際、閾値以上の押圧のタッチ操作Ｍであるかに加えて、表示ユニット３の表示領域の端部へのタッチ操作Ｍであるかを判定する構成とした。このような構成にすることで、意図せぬ押し過ぎの操作によって、ユーザが意図しない画面に切り替えてしまうことを防止することができる。
【００５５】
但し、表示制御部１ａは、閾値以上の押圧のタッチ操作Ｍである場合には、表示領域の端部であるか否かを判定することなく、画面を切り替える構成としてもよい。この場合、表示制御部１ａは、タッチ操作Ｍされた位置が、表示ユニット３の表示領域の中心に対して、上下左右いずれの方向であるかを判定して、対応する方向に関連付けられた画面に切り替える構成とすればよい。
【００５６】
尚、上記実施形態では、画面切替操作と切替先画面の対応関係の一例として、ナビゲーション画面Ｔ１を表示している状態において、画面切替操作によって、ＦＭ画面Ｔ２等に表示画面を切り替える態様（図８）を示した。しかし、これらの画面の種別は、任意であるのは勿論である。
【００５７】
（第２の実施形態）
次に、図９を参照して、第２の実施形態に係るナビゲーション装置Ａについて説明する。本実施形態に係るナビゲーション装置Ａは、画面切替操作と切替先画面の対応関係が、識別マークとして表示される点で、第１の実施形態と相違する。尚、第１の実施形態と共通する構成については、説明を省略する（以下、他の実施形態についても同様）。
【００５８】
図９は、画面切替操作と切替先画面の対応関係を示す識別マークの態様の一例を示す図である。図９では、識別マークＴ２ａ〜Ｔ５ａの表示位置によって画面切替操作の位置を表し、識別マークＴ２ａ〜Ｔ５ａのテキスト画像によって切替先画面の種別を表している。
【００５９】
尚、かかる対応関係を示す方法は、任意であり、画像の態様や画像の色等によって種々変形することができる。
【００６０】
識別マークＴ２ａ〜Ｔ５ａは、表示制御部１ａの表示制御によって表示される。例えば、表示制御部１ａは、表示画面が切り替えられる毎に、画面切替操作と切替先画面の対応関係を示す設定データを読み出し、当該設定データに基づいて、識別マークＴ２ａ〜Ｔ５ａの態様及びその表示位置を決定する。そして、表示制御部１ａは、現在表示する画面に重畳させて、当該識別マークＴ２ａ〜Ｔ５ａを表示する。
【００６１】
以上のように、本実施形態に係るナビゲーション装置Ａによれば、ユーザは、現在表示する画面に表示される識別マークによって画面切替操作と切替先画面の対応関係を把握することができるようになるので、誤って異なる画面に切り替えてしまうことを防止することができる。
【００６２】
（第３の実施形態）
次に、図１０を参照して、第３の実施形態に係るナビゲーション装置Ａについて説明する。本実施形態に係るナビゲーション装置Ａは、画面切替操作と切替先画面の対応関係を使用頻度に基づいて設定変更する設定部を備える点で、第１の実施形態と相違する。
【００６３】
図１０は、図８に対応する図であり、画面切替操作と切替先画面の対応関係の他の一例を示す図である。
【００６４】
図１０は、ナビゲーション画面Ｔ１が表示されている状態において、表示ユニット３の表示領域の右端部分を押圧するタッチ操作がなされた場合には、使用頻度が最も多いアプリケーションの画面Ｔ６に切り替える設定がされていることを表している。又、同様に、表示ユニット３の表示領域の下端部分を押圧するタッチ操作がなされた場合には、使用頻度が二番目に多いアプリケーションの画面Ｔ７に切り替え、表示ユニット３の表示領域の上端部分を押圧するタッチ操作がなされた場合には、使用頻度が三番目に多いアプリケーションの画面Ｔ８に切り替え、表示ユニット３の表示領域の左端部分を押圧するタッチ操作がなされた場合には、使用頻度が四番目に多いアプリケーションの画面Ｔ９に切り替えることを表している。
【００６５】
一般に、ナビゲーション装置は、車内空間の前方の中央付近に設置される。そのため、運転席が右ハンドルの場合には、表示ユニット３の表示領域の右端側が最も運転席に近く、運転者にとって最も操作性がよい配置となる。従って、表示ユニット３の表示領域の右端側が、使用頻度が最も多いアプリケーションの画面Ｔ６と対応付けられるのが望ましい。
【００６６】
本実施形態に係る設定部は、かかる要望から、アプリケーションの画面Ｔ６〜Ｔ９のそれぞれの使用頻度に基づいて、表示ユニット３の表示領域の中心に対する四方向と、対応付ける画面を変更する。設定部が参照する使用頻度は、例えば、アプリケーションの画面と関連付けて記憶装置２に格納された当該画面への切り替え回数であって、表示制御部１ａが、当該アプリケーションの画面に切り替える毎に、当該回数をインクリメントしていくことによって把握される。尚、使用頻度としては、当該アプリケーションの画面に切り替えた回数の合計に限らず、例えば、一定期間内における当該アプリケーションの画面を表示している時間の合計時間等も用いることができる。
【００６７】
設定部は、例えば、プログラムが所定のタイミングで処理を実行することで実現される。設定部は、例えば、ナビゲーション装置Ａの電源が投入され、アプリケーションプログラムが開始されたときに実行され、使用頻度に基づいて、画面切替操作と切替先画面の対応関係を示す設定データを更新する構成とする。
【００６８】
以上のように、本実施形態に係るナビゲーション装置Ａによれば、使用頻度に基づいて画面切替操作と切替先画面の対応関係が更新されるので、ユーザは、使用頻度が多いアプリケーションの画面ほど、画面切替操作をより容易に行うことができる。
【００６９】
（第４の実施形態）
次に、図１１を参照して、第４の実施形態に係るナビゲーション装置Ａについて説明する。本実施形態に係るナビゲーション装置Ａは、画面切替操作と切替先画面の対応関係を、多面体の面の位置関係に関連付けて設定変更する第２の設定部を備える点で、第１の実施形態と相違する。
【００７０】
図１１は、第２の設定部が画面切替操作と切替先画面の対応関係を設定変更する際の、基準とする六面体の面の位置関係を説明するための図である。図１１では、六つのアプリケーションの画面Ｔ１０〜Ｔ１５それぞれが六面体のいずれかの面として配置された状態を示している。尚、図１１に示す多面体は、複数の画面それぞれを多面体の各面の位置関係と関連付ける設定データについて説明するための図であって、当該多面体の画像データを保持する必要はないのは勿論である。
【００７１】
第２の設定部は、現在表示している画面を基準として、図１１に示すように六面体の各面の位置関係となるように、画面切替操作と切替先画面の対応関係を設定する。例えば、第２の設定部は、画面Ｔ１０を表示している際には、表示ユニット３の表示領域の上端部になされた画面切替操作には切替先画面として画面Ｔ１１を設定し、表示ユニット３の表示領域の右端部になされた画面切替操作には切替先画面として画面Ｔ１３を設定し、表示ユニット３の表示領域の下端部になされた画面切替操作には切替先画面として画面Ｔ１５を設定し、表示ユニット３の表示領域の左端部になされた画面切替操作には切替先画面として画面Ｔ１４を設定する。
【００７２】
第２の設定部は、例えば、表示制御部１ａが表示画面を切り替える毎に、当該設定処理を行うこととする。一例として、画面Ｔ１１に表示画面が切り替えられた場合には、第２の設定部は、上下左右の方向に対応付ける切替先画面をそれぞれ画面Ｔ１２、画面Ｔ１０、画面Ｔ１４、画面Ｔ１３に変更する。
【００７３】
このようにすることで、表示制御部１ａは、当該六面体の面の位置関係と対応するように、画面の切り替えを行うことが可能となる。そのため、ユーザは、現在表示している画面から、他の画面へ切り替える際の画面切替操作の操作回数を一層低減できる。
【００７４】
例えば、図８では、ＦＭ画面Ｔ２からＤＩＳＣ画面Ｔ３に切り替える際、ユーザは、ナビゲーション画面Ｔ１に一度切り替えた後にＤＩＳＣ画面Ｔ３に切り替えるという２回の画面切替操作が必要となる。これに対して、本実施形態に係る画面切替操作では、六つのアプリケーションの画面Ｔ１０〜Ｔ１５それぞれが、切替先画面を複数持つことができる。従って、例えば、ＦＭ画面Ｔ２とＤＩＳＣ画面Ｔ３とが、多面体の隣接する面とした場合、ユーザは、ＦＭ画面Ｔ２からＤＩＳＣ画面Ｔ３への切り替える画面切替操作を一回で行うことが可能となる。
【００７５】
加えて、本実施形態に係る表示制御部１ａは、第１の実施形態と同様に、画面切替操作と切替先画面の対応関係を感覚的に記憶することができるように、ユーザによって選択された画面に切り替える際、多面体を回転させるようにして行う。そのため、画面切替操作と切替先画面の対応関係を設定する際に、かかる六面体の位置関係を用いた場合であっても、同様に、ユーザは、当該対応関係を感覚的に記憶することができる。
【００７６】
以上のように、本実施形態に係るナビゲーション装置Ａによれば、画面切替操作の操作回数を低減できるとともに、ユーザに画面切替操作と切替先画面の対応関係を感覚的に記憶させることができる。そして、かかる画面切替操作は、ユーザにとって直感的な操作となるため、趣向性の向上にも資することとなる。
【００７７】
（第５の実施形態）
本実施形態に係るナビゲーション装置Ａは、表示制御部１ａが、画面切替操作の際の押圧に応じて画面遷移の速度を変化させる点で第１の実施形態と相違する。
【００７８】
かかる表示制御は、タッチ操作Ｍの押圧に応じた画面遷移の速度を予め設定しておくことで実現することができる。尚、画面遷移の速度とは、図７に示したように、現在表示する画面から選択された画面に切り替える際の、画面遷移を開始してから終了するまでの間の画像を変形させる速度である。
【００７９】
図６に示した動作フローに従って、本実施形態に係るナビゲーション装置Ａの動作を説明すると、表示制御部１ａは、まず、ステップＳ４においてタッチ操作Ｍの押圧を判定する際、複数設けられた閾値から対応する押圧レベルを識別する。そして、表示制御部１ａは、当該押圧レベルに基づいて、対応付けられた画面遷移の速度を決定する。表示制御部１ａは、このようにして決定した画面遷移の速度に基づいて、ステップＳ６において表示画面の変更を行う。
【００８０】
以上のように、本実施形態に係るナビゲーション装置Ａによれば、ユーザは、押圧によって画面遷移の速度を変化させることができるため、ユーザにとってより直感的な操作となるため、趣向性の向上にも資することとなる。又、ユーザは、必要に応じて画面遷移の速度を早くしたり遅くしたりすることができるため、利便性が向上する。
【００８１】
以上、本発明の具体例を詳細に説明したが、これらは例示にすぎず、請求の範囲を限定するものではない。請求の範囲に記載の技術には、以上に例示した具体例を様々に変形、変更したものが含まれる。
【００８２】
本明細書および添付図面の記載により、少なくとも以下の事項が明らかとなる。
【００８３】
本開示に係る表示処理装置１は、感圧センサ３ｃとタッチセンサ３ｂを有する表示ユニット３に表示させる画面を制御する表示処理装置１であって、前記表示ユニット３に対してなされたタッチ操作Ｍの位置及び押圧を含む入力情報を取得する入力情報取得部１ｂと、第１の画面Ｔ１を前記表示ユニット３に表示させているときに閾値以上の押圧のタッチ操作Ｍがなされた場合、当該タッチ操作Ｍがなされた位置に基づいて、少なくとも前記表示ユニット３の表示領域の中心に対する四方向のいずれかの方向と対応付けられた複数の画面のうち、いずれかの画面を切り替え先の第２の画面Ｔ２として選択し、前記第２の画面Ｔ２を、前記第２の画面Ｔ２に対応付けられた方向に応じた側から前記表示ユニット３の表示領域に出現させるとともに、前記第１の画面Ｔ１を、前記第２の画面Ｔ２を出現させる側とは反対の側に向かうように前記表示ユニット３の表示領域から消失させて、前記第１の画面Ｔ１から前記第２の画面Ｔ２に表示を切り替える表示制御部１ａと、を備える。この表示処理装置１によれば、ユーザは、表示ユニット３の表示領域における四方向の端部のいずれかの方向の端部を押し込むタッチ操作Ｍによって、所望の画面に切り替えることができる。そのため、ユーザは、表示ユニット３の表示領域における四方向の端部のいずれの方向かのみを意識すればよいので、視線をあまり移動させることなく、一回のタッチ操作Ｍで簡易に所望の画面に切り替えることができる。
【００８４】
又、前記表示制御部１ａは、前記閾値以上の押圧のタッチ操作Ｍがなされた場合、当該タッチ操作Ｍがなされた位置が前記表示ユニット３の表示領域の外縁部のときに、前記第１の画面Ｔ１から前記第２の画面Ｔ２に表示を切り替える処理を行うものであってもよい。この表示処理装置１によれば、意図せぬ押し過ぎの操作によって、ユーザが意図しない画面に切り替えてしまうことを防止することができる。
【００８５】
又、前記表示制御部１ａは、前記第１の画面Ｔ１から前記第２の画面Ｔ２に表示を切り替える際、前記第１の画面Ｔ１の画像と前記第２の画面Ｔ２の画像とを隣接して配置した状態で、それぞれの画面の画像を経時的に変形させながら移動させることによって、前記第１の画面Ｔ１と前記第２の画面Ｔ２とが隣接する面として配置された多面体を回転させるようにして、前記第２の画面Ｔ２を、対応付けられた方向に応じた側からから前記表示ユニット３の表示領域に出現させるとともに、前記第１の画面Ｔ１を、前記第２の画面Ｔ２を出現させる側とは反対の側に向かうように前記表示ユニット３の表示領域から消失させるものであってもよい。この表示処理装置１によれば、ユーザは、画面切替操作と切替先画面の対応関係を直感的に識別することができ、感覚的に記憶することが可能となる。又、かかる画面切替操作は、ユーザにとって直感的な操作となるため、趣向性の向上にも資することとなる。
【００８６】
又、複数の画面それぞれについて記憶された使用頻度データに基づいて、少なくとも前記表示ユニット３の表示領域の中心に対する四方向のいずれかの方向と対応付ける画面を変更する設定部を備えるものであってもよい。この表示処理装置１によれば、ユーザは、使用頻度が多いアプリケーションの画面ほど、画面切替操作をより容易に行うことができる。
【００８７】
又、複数の画面それぞれを多面体の各面の位置関係と関連付ける設定データに基づいて、前記第１の画面Ｔ１が切り替えられる毎に、当該切り替えられた画面に関連付けられた前記多面体の面の位置関係と対応するように、少なくとも前記表示ユニット３の表示領域の中心に対する四方向のいずれかの方向と対応付ける画面を変更する第２の設定部を備えるものであってもよい。この表示処理装置１によれば、画面切替操作の操作回数をより低減できる。
【００８８】
又、前記表示制御部１ａは、少なくとも前記表示ユニット３の表示領域の中心に対する四方向のいずれかの方向と対応付けられた複数の画面のそれぞれについて、当該方向と当該画面の種別の対応関係を識別可能に表示するものであってもよい。この表示処理装置１によれば、ユーザは、画面切替操作と切替先画面の対応関係を把握することができるようになり、誤って異なる画面に切り替えてしまうことを防止することができる。
【００８９】
又、前記表示制御部１ａは、前記第１の画面Ｔ１から前記第２の画面Ｔ２に表示を切り替える際、タッチ操作Ｍの押圧に応じて、前記第１の画面Ｔ１を消失させる速度、及び前記第２の画面Ｔ２を出現させる速度を変化させるものであってもよい。この表示処理装置１によれば、ユーザは、押圧によって画面遷移の速度を変化させることができるので、ユーザにとってより直感的な操作となり、趣向性の向上にも資することとなる。
【００９０】
本開示に係る表示処理プログラムは、感圧センサ３ｃとタッチセンサ３ｂを有する表示ユニット３に表示させる画面を制御する表示処理プログラムであって、前記表示ユニット３に対してなされたタッチ操作Ｍの位置及び押圧を含む入力情報を取得する処理と、第１の画面Ｔ１を前記表示ユニット３に表示させているときに閾値以上の押圧のタッチ操作Ｍがなされた場合、当該タッチ操作Ｍがなされた位置に基づいて、少なくとも前記表示ユニット３の表示領域の中心に対する四方向のいずれかの方向と対応付けられた複数の画面のうち、いずれかの画面を切り替え先の第２の画面Ｔ２として選択し、前記第２の画面Ｔ２を、前記第２の画面Ｔ２に対応付けられた方向に応じた側から前記表示ユニット３の表示領域に出現させるとともに、前記第１の画面Ｔ１を、前記第２の画面Ｔ２を出現させる側とは反対の側に向かうように前記表示ユニット３の表示領域から消失させて、前記第１の画面Ｔ１から前記第２の画面Ｔ２に表示を切り替える処理と、を備える。
【産業上の利用可能性】
【００９１】
本開示に係る表示処理装置は、ナビゲーション装置に好適に用いることができる。
【符号の説明】
【００９２】
Ａ  ナビゲーション装置
１  制御装置
２  記憶装置
３  表示ユニット
４  ＧＰＳ
５  ジャイロセンサ
６  車速センサ
７  ＴＶ受信機
８  ラジオ受信機
９  ＣＤ／ＤＶＤ再生装置
１０  接続ポート
【図１】
2017182259.tif 000003
【図２】
2017182259.tif 000004
【図３】
2017182259.tif 000005
【図４】
2017182259.tif 000006
【図５】
2017182259.tif 000007
【図６】
2017182259.tif 000008
【図７】
2017182259.tif 000009
【図８】
2017182259.tif 000010
【図９】
2017182259.tif 000011
【図１０】
2017182259.tif 000012
【図１１】
2017182259.tif 000013